(57)【要約】【課題】表示装置を支持する支持装置の持ち手が、装置の運搬時に所定の位置に存在し、装置の使用時には隠れるようにする。【解決手段】表示装置を、第１位置と当該第１位置よりも高い位置に設定された第２位置との間で移動可能に支持する支持装置であって、前記表示装置に取り付けられる第１部材と、前記第１部材を前記第１位置と前記第２位置との間で移動自在に導くレールと、運搬時の持ち手とされるハンドルと、前記レールに取り付けられ、前記第１部材とともに前記第２位置側から前記第１位置側へと移動されてくる前記表示装置の下縁部によって一端部が押圧されると、他端部が前記ハンドルを前記表示装置の表示面側に押し出すリンク部と、を備える。【選択図】図２
2020144187.tif 000002
【特許請求の範囲】
【請求項１】
表示装置を、第１位置と当該第１位置よりも高い位置に設定された第２位置との間で移動可能に支持する支持装置であって、
前記表示装置に取り付けられる第１部材と、
前記第１部材を前記第１位置と前記第２位置との間で移動自在に導くレールと、
運搬時の持ち手とされるハンドルと、
前記レールに取り付けられ、前記第１部材とともに前記第２位置側から前記第１位置側へと移動されてくる前記表示装置の下縁部によって一端部が押圧されると、他端部が前記ハンドルを前記表示装置の表示面側に押し出すリンク部と、
を備える支持装置。
【請求項２】
前記レールの一端部を保持して前記レールを所定の向きに保つ足部と、
前記足部に配置されて、前記表示装置の運搬を容易にするキャスター
をさらに備える請求項１に記載の支持装置。
【請求項３】
前記レールで導かれる前記第１部材の位置を位置決めするコンストンバネ
をさらに備える請求項１または２に記載の支持装置。
【請求項４】
請求項１〜３のいずれか１つに記載の支持装置と、
表示装置と、
を備えるスタンドディスプレイ。
【発明の詳細な説明】
【技術分野】
【０００１】
本発明は、支持装置およびスタンドディスプレイに関する。
【背景技術】
【０００２】
従来、例えば電子情報ボードのように、表示内容に対して描き込む操作を受け付ける装置が、使用されている。このような装置は、情報を表示する表示装置と、当該表示装置を支持する支持装置と、を含んで構成されることが多い。支持装置は、表示装置を、表示装置に対する描き込み操作がしやすいような高さに、支持する。
【０００３】
上述の電子情報ボードのような装置は、可搬性を有するよう構成されることがある。この場合、例えば、支持装置は、表示装置を、運搬時には低く、使用時には所定の高さに上げて支持するよう、構成される。さらにこの場合、運搬を容易にするため、持ち手が備え付けられていることが多いが、上述のような装置の持ち手は、多くは、表示装置の上に突出するように設けられている（例えば特許文献１）。
【発明の概要】
【発明が解決しようとする課題】
【０００４】
しかしながら、持ち手が表示装置の上に設けられていると、使用時には、所定の高さまで上げられた表示装置のさらに上に持ち手が位置することとなる。これは、電子情報ボードの使用時には不要である持ち手の存在によって、全体の高さが増すこととなり、好ましくない。また、持ち手が常に表示装置の上に見えていることで、表示装置が高い位置に上げられたままの状態でも、持ち手を把持して運搬することが想定されているかのように見えてしまう。
【０００５】
本発明は、上記に鑑みてなされたものであって、表示装置を支持する支持装置の持ち手が、装置の運搬時に所定の位置に存在し、装置の使用時には隠れるようにすることを目的とする。
【課題を解決するための手段】
【０００６】
上述した課題を解決し、目的を達成するために、本発明は、表示装置を、第１位置と当該第１位置よりも高い位置に設定された第２位置との間で移動可能に支持する支持装置であって、前記表示装置に取り付けられる第１部材と、前記第１部材を前記第１位置と前記第２位置との間で移動自在に導くレールと、運搬時の持ち手とされるハンドルと、前記レールに取り付けられ、前記第１部材とともに前記第２位置側から前記第１位置側へと移動されてくる前記表示装置の下縁部によって一端部が押圧されると、他端部が前記ハンドルを前記表示装置の表示面側に押し出すリンク部と、を備えることを特徴とする。
【発明の効果】
【０００７】
本発明によれば、表示装置を支持する支持装置の持ち手が、装置の運搬時に所定の位置に存在し、装置の使用時には隠れるようにすることができるという効果を奏する。
【図面の簡単な説明】
【０００８】
【図１】図１は、実施形態にかかるスタンドディスプレイの外観を示す斜視図である。
【図２】図２は、収納位置における表示装置を示す斜視図である。
【図３】図３は、ハンドルおよびリンク部の接続状態を示す斜視図である。
【図４】図４は、支持装置が表示装置を、収納位置で支持した状態を示す側面図である。
【図５】図５は、支持装置が表示装置を使用位置で支持した状態での、ハンドルおよびリンク部を示す側面図である。
【図６】図６は、支持装置が表示装置を収納位置で支持した状態での、ハンドルおよびリンク部を示す側面図である。
【図７】図７は、リンク部の下端部の形状の一例を示す斜視図である。
【図８】図８は、リンク部の上端部の形状の一例を示す斜視図である。
【図９】図９は、変形例にかかる支持装置が、表示装置を収納位置で支持した状態を示す側面図である。
【発明を実施するための形態】
【０００９】
実施の一形態について、図面を参照して説明する。図１は、本実施形態にかかるスタンドディスプレイ１００の外観を示す斜視図である。スタンドディスプレイ１００は、表示装置１０と支持装置２０とを備えている。
【００１０】
表示装置１０は、矩形であって、情報を文字や画像などで示す画面１１を一面に備える。表示装置１０は、例えば、液晶ディスプレイなどである。また、表示装置１０は、例えばタッチパネルのように機能する操作受付部１２を備えていてもよい。操作受付部１２は、画面１１に対する電子ペンや手指などの接触を検知し、接触しながら画面１１に対して移動するそれらの移動軌跡を、表示装置１０が内蔵する制御部などに伝達する。当該伝達を受けた制御部は、上記軌跡を、画面１１に表示する画像中に描き込む（書き込む）。
【００１１】
支持装置２０は、表示装置１０を、第１位置と当該第１位置よりも高い位置に設定された第２位置との間で移動可能に、支持する。第１位置は、最も低い位置（収納位置）である。第２位置は、最も高い位置（使用位置）である。図１は、使用位置における表示装置１０を示している。図２は、収納位置における表示装置１０を示す斜視図である。
【００１２】
支持装置２０は、一対のブラケット２１、一対のレール２２、一対の足部２３、４つのキャスター２４、ハンドル２５（図２参照）、一対のリンク部２６（図３参照）、一対のカバー２７を備えている。図３は、ハンドル２５およびリンク部２６の接続状態を示す斜視図である。図４は、支持装置２０が表示装置１０を、図２に示す収納位置で支持した状態を示す側面図である。
【００１３】
ブラケット２１は、第１部材の一例であって、表示装置１０の幅方向両端部に取り付けられる。レール２２は、ブラケット２１を、収納位置（最も低い位置）と使用位置（最も高い位置）との間で移動自在に、導く。これにより、ブラケット２１と一体化した表示装置１０は、レール２２によって、収納位置と使用位置との間で移動自在である。
【００１４】
足部２３は、レール２２の一端部を保持して、レール２２を所定の向きに保つ。より詳しくは、足部２３は、レール２２の一端部と他端部との高さに違いが出る所定の向きで、レール２２の下端部を保持する。本実施形態のレール２２は、鉛直よりやや傾いた斜め方向に、長手方向を沿わせている。足部２３は、長手方向を略水平方向に沿わせている。また、一対の足部２３は、長手方向が並列になるよう、配置されている。
【００１５】
支持装置２０は、合計４個のキャスター２４を備えている。キャスター２４は、表示装置１０（スタンドディスプレイ１００）の運搬を容易にするためのものである。キャスター２４は、小さな車輪であって、各足部２３の両端部に取り付けられている。当該配置により、隣り合うキャスター２４をつなぐ仮想線は方形を描く。つまりキャスター２４は、足部２３が囲む平面の少なくとも四隅に配置されている。
【００１６】
ハンドル２５は、表示装置１０の運搬時に持ち手として使用されるものであって、自身の長手方向を表示装置１０の幅方向に沿わせて配置される。また、ハンドル２５は、表示装置１０が収納位置にあるとき、表示装置１０の上縁部の上に位置し、表示装置１０が使用位置にあるとき、表示装置１０の画面１１の背面側に位置する。
【００１７】
リンク部２６は、複数の節を有して構成されて、ある箇所（節）が動作させられると他の箇所も連動して動作するものである。より具体的には、リンク部２６は、ブラケット２１と一体化した表示装置１０が使用位置側から収納位置側へと移動されてきたとき、表示装置１０の下縁部によって下端部（一端部）が押圧されると、上端部（他端部）がハンドル２５を、表示装置１０の画面１１側に押し出す。
【００１８】
カバー２７は、リンク部２６の下端部（一端部）を覆う。カバー２７は、表示装置１０の下縁部１３をカバー２７内に受け入れる溝２８を有している。この溝２８からカバー２７内に受け入れられた表示装置１０の下縁部が、リンク部２６の下端部を押圧する。
【００１９】
リンク部２６の構造および動作について、より詳細に説明する。図５は、支持装置２０が表示装置１０を使用位置で支持した状態での、ハンドル２５およびリンク部２６を示す側面図である。図３は当該図５の状態に対応する斜視図である。図６は、支持装置２０が表示装置１０を収納位置で支持した状態での、ハンドル２５およびリンク部２６を示す側面図である。
【００２０】
リンク部２６は、レール２２に取り付けられている。リンク部２６は、ロッド２６１、上接続部２６２および下接続部２６３の３つの部分に大きく分かれている。ロッド２６１は、レール２２の内側に設けられている。ロッド２６１は、表示装置１０の画面１１の裏側に配置されて、画面１１に対して略平行を保って上下動する。下接続部２６３は、ロッド２６１と足部２３とを接続する、短い棒状の部材である。上接続部２６２は、ロッド２６１とハンドル２５とを接続する、短い棒状の部材である。
【００２１】
図７は、リンク部２６の下端部の形状の一例を示す斜視図である。下接続部２６３の一端部２６３ａは、足部２３に回動自在に接続され、他端部は、ロッド２６１の下端部に回動自在に接続されている。端部２６３ａは、カバー２７の溝２８（図１，２，４参照）に入り込んだ表示装置１０の下縁部によって押圧される位置に、配置されている。
【００２２】
図８は、リンク部２６の上端部の形状の一例を示す斜視図である。上接続部２６２の一端部２６２ａはハンドル２５に回動自在に接続され、他端部２６２ｂはロッド２６１の上端部に回動自在に接続されている。
【００２３】
ここで、レール２２は、上端部に、ガイド２２ａ（図４参照）を有している。ガイド２２ａは、ハンドル２５の端部２５ａ（図８参照）を覆うとともに、その移動方向を、表示装置１０の厚さ方向に定める。
【００２４】
上述のような構成において、スタンドディスプレイ１００のユーザは、スタンドディスプレイ１００を運搬する際には、表示装置１０を、収納位置に下げた状態で、スタンドディスプレイ１００を移動させたい方向に押すなどしてキャスター２４により移動する。また、ユーザは、スタンドディスプレイ１００を持ち上げたい場合には、ハンドル２５を握って持ち上げる。
【００２５】
リンク部２６の下端部（下接続部２６３の端部２６３ａ）は、表示装置１０が収納位置にあるとき、表示装置１０の下縁部で押し下げられた状態にある。したがって、ハンドル２５は、リンク部２６の上端部（上接続部２６２の端部２６２ａ）によって、表示装置１０の画面１１側に押し出された状態にある。
【００２６】
スタンドディスプレイ１００を使用する際、ユーザは、表示装置１０の両側部１０ａ，１０ｂ（図１，図２参照）を把持し、表示装置１０をレール２２に沿って上方向にスライド移動させる。このとき、表示装置１０の下縁部によるリンク部２６の端部２６３ａの押圧が解除されるので、リンク部２６が作用し、ハンドル２５が、画面１１の背面側へ引っ込められてガイド２２ａ内に収納される。
【００２７】
スタンドディスプレイ１００の使用を終えると、ユーザは、表示装置１０の両側部１０ａ，１０ｂを把持して、表示装置１０をレール２２に沿って下方向にスライド移動させる。このとき、表示装置１０の下縁部がカバー２７の溝２８に差し込まれて、リンク部２６の端部２６３ａが押圧される。これによりリンク部２６が作用し、ハンドル２５が、画面１１側へと押し出される。
【００２８】
このように、本実施形態によれば、表示装置１０の上げ下げ（昇降）に連動して、ハンドル２５が隠れたり現れたりするので、ハンドル２５は、使用される場面にのみ現れる。つまり、表示装置１０が使用位置にあるときには、ハンドル２５は背面側に引っ込められている。これにより、スタンドディスプレイ１００の使用時には、サイズを小さく見せて圧迫感を抑えることができ、スタンドディスプレイ１００の運搬時には、適切な位置にハンドル２５を位置させることができる。
【００２９】
（変形例）
上記実施形態の変形例について、図面を参照して説明する。本変形例の説明にあたり、上記実施形態で説明した箇所については同じ符号を用い、詳細な説明を省略する。図９は、変形例にかかる支持装置２０が、表示装置１０を収納位置で支持した状態を示す側面図である。この例では、コンストンバネ２９をさらに備えている。コンストンバネ２９は、レール２２で導かれるブラケット２１の位置を、任意に定めることが可能である。
【００３０】
このような構成によれば、表示装置１０を昇降させるために要するユーザの力を最小限に抑えることができるので、使い勝手を向上させることができる。
【００３１】
以上、いくつかの実施形態を説明したが、これらの実施形態は、実施する際の形態の一例として提示したものであり、発明の範囲を限定することを意図するものではない。実施形態は、その他の様々な形態で実施されることが可能であり、発明の要旨を逸脱しない範囲で、種々の省略や置き換え、変更を行うことが可能である。これら実施形態やその変形は、発明の範囲や要旨に含まれるとともに、特許請求の範囲に記載された発明とその均等の範囲に含まれる。
【符号の説明】
【００３２】
１００…スタンドディスプレイ
１０…表示装置、１０ａ，１０ｂ…側部
１１…画面、１２…操作受付部、１３…下縁部
２０…支持装置
２１…ブラケット
２２…レール、２２ａ…ガイド
２３…足部
２４…キャスター
２５…ハンドル、２５ａ…端部
２６…リンク部
２６１…ロッド
２６２…上接続部、２６２ａ…一端部、２６２ｂ…他端部
２６３…下接続部、２６３ａ…一端部
２７…カバー
２８…溝
２９…コンストンバネ
【先行技術文献】
【特許文献】
【００３３】
【特許文献１】特開２００２−１４９０８４号公報
【図１】
2020144187.tif 000003
【図２】
2020144187.tif 000004
【図３】
2020144187.tif 000005
【図４】
2020144187.tif 000006
【図５】
2020144187.tif 000007
【図６】
2020144187.tif 000008
【図７】
2020144187.tif 000009
【図８】
2020144187.tif 000010
【図９】
2020144187.tif 000011